(57)【要約】【課題】  スキャン画像データの運用、確認、証明などを容易に行えるスキャナ装置、スキャン画像データ処理方法及びＰＯＳシステムを提供する。【解決手段】  スキャン画像データＳを取得するスキャンセンサ12と、スキャン画像データＳを識別するための識別画像データＤを生成する識別画像データ生成部14と、スキャンセンサ12により取得されたスキャン画像データＳを含む画像表示領域内Ａで、スキャン画像データＳがない領域である空き領域Ｗを判別する空き領域判別部15と、空き領域Ｗに識別画像データＤを書き込むことにより、スキャン画像データＳと識別画像データＤとからなる合成画像データＣを生成する画像処理部16と、合成画像データＣをホスト端末20に送信するスキャナ装置側データ通信部18と、を有するスキャナ装置10。【選択図】        図１
2005064809.tif 000002
【特許請求の範囲】
【請求項１】
画像をスキャンすることにより、スキャン画像データを取得するスキャン画像データ取得部と、
前記スキャン画像データを識別するための識別画像データを生成する識別画像データ生成部と、
前記スキャン画像データを含む画像表示領域内で、スキャン画像データがない領域である空き領域を判別する空き領域判別部と、
前記空き領域に前記識別画像データを書き込むことにより、前記スキャン画像データと識別画像データとからなる合成画像データを生成する画像処理部と、
前記合成画像データをホスト端末に送信するデータ送信部と、を有することを特徴とするスキャナ装置。
【請求項２】
前記識別画像データに前記スキャン画像データが取得された日付及び／又は時間の情報が含まれることを特徴とする請求項１に記載のスキャナ装置。
【請求項３】
前記識別画像データに装置を特定する固有の情報が含まれることを特徴とする請求項１又は請求項２に記載のスキャナ装置。
【請求項４】
前記識別画像データに装置を使用している店舗を特定する固有の情報が含まれることを特徴とする請求項１〜３のいずれかに記載のスキャナ装置。
【請求項５】
スキャン画像データを取得するスキャン画像データ取得ステップと、
取得した前記スキャン画像データを識別するための識別画像データを生成する識別画像データ生成ステップと、
前記スキャン画像データを含む画像表示領域内で、前記スキャン画像データがない領域である空き領域を判別する空き領域判別ステップと、
前記空き領域に前記識別画像データを書き込むことにより、前記スキャン画像データと識別画像データとからなる合成画像データを生成する画像処理ステップと、
前記合成画像データをホスト端末に送信する送信ステップと、を含むことを特徴とする画像データ処理方法。
【請求項６】
前記識別画像データに前記スキャン画像データが取得された日付及び／又は時間の情報が含まれることを特徴とする請求項５に記載の画像データ処理方法。
【請求項７】
前記識別画像データに前記スキャン画像データを取得した装置を特定する固有の情報が含まれることを特徴とする請求項５又は６に記載の画像データ処理方法。
【請求項８】
前記識別画像データに前記スキャン画像データを取得した装置を使用している店舗を特定する固有の情報が含まれることを特徴とする請求項５〜７のいずれかに記載の画像データ処理方法。
【請求項９】
画像をスキャンすることにより、スキャン画像データを取得するスキャン画像データ取得部と、
前記スキャン画像データを識別するための識別画像データを生成する識別画像データ生成部と、
前記スキャン画像データを含む画像表示領域内で、スキャン画像データがない領域である空き領域を判別する空き領域判別部と、
前記空き領域に前記識別画像データを書き込むことにより、前記スキャン画像データと識別画像データとからなる合成画像データを生成する画像処理部と、
前記合成画像データをホスト端末に送信するデータ送信部と、を有するスキャナ装置と、
前記スキャナ装置により送信された合成画像データを受信するデータ受信部と、
前記データ受信部により受信された合成画像データを保存するデータ保存部と、
合成画像データを表示する表示部と、を有するホスト端末と、を有することを特徴とするＰＯＳシステム。
【請求項１０】
前記合成画像データを、ネットワーク内に設けられたネットワークサーバに送信するネットワーク通信部を有することを特徴とする請求項９に記載のＰＯＳシステム。
【発明の詳細な説明】
【技術分野】
【０００１】
本発明は、画像データをホスト端末に送信するスキャナ装置、画像データ処理方法及びＰＯＳシステムに関する。
【背景技術】
【０００２】
小売店やレンタル店等においては、ＰＯＳシステムが広く利用されている。このＰＯＳシステムは、販売される商品等の情報を一品単位で収集し、コンピュータ上で保存、管理し、消費者の購買動向を迅速、正確にキャッチし、商品の販売促進、在庫管理や売場の効率的運用に役立っている（例えば、特許文献１参照）。
【０００３】
また、このＰＯＳシステムには、商品に付されたバーコードを光学的に読み取るバーコードリーダや顧客のクレジットカード等を読み取る磁気カードリーダ、又はＩＣカードリーダといった情報取得装置が設けられ、用途ごとに使い分けられる。
【０００４】
さらに、ＰＯＳシステムの情報取得装置として、例えば、小切手等の画像をスキャンセンサにより読み取るスキャナ装置（小切手処理装置等）などもある。このスキャナ装置（小切手処理装置等）で取得された画像データは、ＰＣや画像表示部（入力部を兼ねたタッチパネル等）を備えたホスト端末（小切手処理端末等）に送信され画像データの表示やデータ処理等がなされる。なお、上記スキャナ装置（小切手処理装置等）には、小切手の受取証等を印刷出力するプリンタと一体になった装置などもある。
【特許文献１】特開２００３−３０７５１号公報（第３頁）
【発明の開示】
【発明が解決しようとする課題】
【０００５】
上述した従来のＰＯＳシステムでは、ホスト端末の画像表示部に、前記スキャナで取得された画像がそのまま表示される。
【０００６】
ところが、画像表示部に表示された画像やその画像表示部をハードコピーとしてプリンタで印刷された紙面などを見ただけでは、この画像データが、いつ、どこで、どのように取得されたか、などを確認できないため、印刷された紙面に、日付、場所等を書き込む作業が必要である。また、画像データをファイリングして保存する場合は、日付、場所等の情報を別途データ入力して、画像データに付加したりする作業が必要であり、これらの作業に時間がかかるなどの問題点があった。
【０００７】
本発明は、前記のような従来の問題を解決するものであり、取得されたスキャン画像データと、その取得されたスキャン画像データを識別するための識別画像データと、を合成して保存することにより、時間をかけずにスキャン画像データの確認を容易に行うことができるスキャナ装置、画像データ処理方法及びＰＯＳシステムを提供することを目的とする。
【課題を解決するための手段】
【０００８】
上記の課題を解決するために、請求項１に記載のスキャナ装置は、画像をスキャンすることにより、スキャン画像データを取得するスキャン画像データ取得部と、前記スキャン画像データを識別するための識別画像データを生成する識別画像データ生成部と、前記スキャン画像データを含む画像表示領域内で、スキャン画像データがない領域である空き領域を判別する空き領域判別部と、前記空き領域に前記識別画像データを書き込むことにより、前記スキャン画像データと識別画像データとからなる合成画像データを生成する画像処理部と、前記合成画像データをホスト端末に送信するデータ送信部と、を有することを特徴とする。
【０００９】
これにより、スキャン画像データを識別するための識別画像データがスキャン画像データの空き領域に書き込まれ、スキャン画像データと識別画像データとが合成された合成画像データを得ることができ、この合成画像データをホスト端末に送信することにより、ホスト端末によって合成画像データを表示、保存等を行うことができる。
【００１０】
また、請求項２に記載のスキャナ装置は、前記識別画像データに前記スキャン画像データが取得された日付及び／又は時間の情報が含まれることを特徴とする。これにより、例えば、合成画像データを目視することにより、スキャン画像データがいつ取得されたかを簡単に確認することができる。
【００１１】
また、請求項３に記載のスキャナ装置は、前記識別画像データに装置を特定する固有の情報が含まれることを特徴とする。これにより、例えば、合成画像データを目視することにより、スキャン画像データがどのスキャナ装置で取得されたかを簡単に確認することができる。
【００１２】
また、請求項４に記載のスキャナ装置は、前記識別画像データに装置を使用している店舗を特定する固有の情報が含まれることを特徴とする。これにより、例えば、合成画像データを目視することにより、スキャン画像データを取得した店舗を特定することができる。
【００１３】
請求項５に記載のスキャン画像データ処理方法は、スキャン画像データを取得するスキャン画像データ取得ステップと、取得した前記スキャン画像データを識別するための識別画像データを生成する識別画像データ生成ステップと、前記スキャン画像データを含む画像表示領域内で、前記スキャン画像データがない領域である空き領域を判別する空き領域判別ステップと、前記空き領域に前記識別画像データを書き込むことにより、前記スキャン画像データと識別画像データとからなる合成画像データを生成する画像処理ステップと、前記合成画像データをホスト端末に送信する送信ステップと、を含むことを特徴とする。
【００１４】
これにより、スキャン画像データを識別するための識別画像データが、スキャン画像データの空き領域に書き込まれることによって、スキャン画像データと識別画像データとが合成された合成画像データを得ることができ、この合成画像データをホスト端末に送信することにより、ホスト端末によって合成画像データを表示、保存等を行うことができる。
【００１５】
また、請求項６に記載の画像データ処理方法は、前記識別画像データに前記スキャン画像データが取得された日付及び／又は時間の情報が含まれることを特徴とする。これにより、例えば、合成画像データを目視することにより、スキャン画像データがいつ取得されたかを簡単に確認することができる。
【００１６】
また、請求項７に記載の画像データ処理方法は、前記識別画像データに前記スキャン画像データを取得した装置を特定する固有の情報が含まれることを特徴とする。これにより、例えば、合成画像データを目視することにより、スキャン画像データがどのスキャナ装置で取得されたかを簡単に確認することができる。
【００１７】
また、請求項８に記載の画像データ処理方法は、前記識別画像データに前記スキャン画像データを取得した装置を使用している店舗を特定する固有の情報が含まれることを特徴とする。これにより、例えば、合成画像データを目視することにより、スキャン画像データを取得した店舗を特定することができる。
【００１８】
請求項９に記載のＰＯＳシステムは、画像をスキャンすることにより、スキャン画像データを取得するスキャン画像データ取得部と、前記スキャン画像データを識別するための識別画像データを生成する識別画像データ生成部と、前記スキャン画像データを含む画像表示領域内で、スキャン画像データがない領域である空き領域を判別する空き領域判別部と、前記空き領域に前記識別画像データを書き込むことにより、前記スキャン画像データと識別画像データとからなる合成画像データを生成する画像処理部と、前記合成画像データをホスト端末に送信するデータ送信部と、を有するスキャナ装置と、前記スキャナ装置により送信された合成画像データを受信するデータ受信部と、前記データ受信部により受信された合成画像データを保存するデータ保存部と、合成画像データを表示する表示部と、を有するホスト端末と、を有することを特徴とする。
【００１９】
これにより、スキャナ装置とホスト端末とがデータを送受信できるように接続されたＰＯＳシステムにおいて、スキャナ装置によってスキャン画像データと識別画像データとを合成して得られた合成画像データが、ホスト端末に送信され、このホスト端末によって合成画像データを表示、保存等を行うことができる。
【００２０】
また、請求項１０に記載のＰＯＳシステムは、前記合成画像データを、ネットワーク内に設けられたネットワークサーバに送信するネットワーク通信部を有することを特徴とする。
【００２１】
これにより、インターネット等のネットワークに接続されたネットワークサーバに、ＰＯＳシステムのホスト端末に保存された合成画像データを送信することができる。そして、ネットワークに、例えば複数のＰＯＳシステムが接続されていれば、各ＰＯＳシステムによって取得された合成画像データをネットワークサーバが一括して保存管理することができる。
【発明の効果】
【００２２】
本発明によれば、スキャン画像データを識別するための識別画像データがスキャン画像データの空き領域に書き込まれ、スキャン画像データと識別画像データとが合成された合成画像データを得ることができ、この合成画像データをホスト端末に送信することにより、ホスト端末によって合成画像データを表示、保存等を行うことができる。
【００２３】
この識別画像データとしては、日付及び／又は時間、装置に固有の値などを用いることにより、ホスト端末の表示部に表示された画面（あるいは、この画面を印刷した紙面）を、例えば目視することにより、スキャン画像データがいつ取得されたか、どのスキャナ装置で取得されたかなどを簡単に確認することができる。
【００２４】
さらに、インターネット等のネットワークに接続されたネットワークサーバに、合成画像データを送信することにより、このネットワークに接続された複数のＰＯＳシステムのうち、どのＰＯＳシステムでスキャン画像データが取得されたかを特定することができ、そのＰＯＳシステムの設置された店舗等を特定することができる。そして、この複数のＰＯＳシステムから送信された合成画像データをネットワークサーバが一括して保存管理することができ、画像データの運用、確認、証明などを容易に行うことができるという効果が得られる。
【発明を実施するための最良の形態】
【００２５】
以下、本発明に係るスキャナ装置、画像データ処理方法及びＰＯＳシステムの実施の形態について図を参照して説明する。
【００２６】
図１は、本発明の実施の形態によるＰＯＳシステムの構成を示すブロック図である。図２は、本発明に係る実施の形態のスキャナ装置で読み込まれたスキャン画像データと識別画像データとそれらを合成した合成画像データの一例を示す説明図である。
【００２７】
図１に示すように、ＰＯＳシステム１は、スキャナ装置側中央制御部１１と、スキャンセンサ１２（スキャン画像データ取得部）と、データ記憶部１３と、識別画像データ生成部１４と、空き領域判別部１５と、画像処理部１６と、印字部１７と、スキャナ装置側データ通信部１８（データ送信部）と、を有するスキャナ装置１０と、ホスト端末側中央制御部２１と、ホスト端末側データ通信部２２（データ受信部）と、データ保存部２３と、表示部２４と、ネットワーク通信部２５と、を有するホスト端末２０とで構成される。
【００２８】
この図１に示すＰＯＳシステム１は、スキャンセンサ１２によって画像をスキャンしてスキャン画像データを取得し、このスキャン画像データを識別するための識別画像データを識別画像データ生成部１４で生成し、空き領域判別部１５でスキャン画像データの空き領域を判別し、この空き領域に識別画像データを書き込むことにより、画像処理部１６でスキャン画像データと識別画像データとからなる合成画像データを生成する。そして、この合成画像データをホスト端末２０に送信するものである。
【００２９】
スキャナ装置１０のスキャンセンサ１２により読み込まれたスキャン画像データＳは、例えば、図２（ａ）に示すような氏名Ｓ１，金額Ｓ２，単票識別番号Ｓ３などが記載された小切手をスキャンして取得したスキャン画像データＳなどの例が挙げられる。そして、この図２（ａ）に示す例では、図中、右上部分にスキャン画像データＳが画像データがない空白の領域である空き領域Ｗがある。
【００３０】
また、上記空き領域Ｗに相当する位置に、例えば、図２（ｂ）に示すような、日付及び時間とスキャナ装置１０の固有の番号（シリアルナンバー）等が書き込まれた識別画像データＤが生成される。そして、スキャン画像データＳと識別画像データＤとを合成することにより、合成画像データＣが、図２（ｃ）に示すように生成される。
【００３１】
以下、さらに、各部の機能を詳細に説明する。
【００３２】
図１に示すスキャナ装置１０内のスキャナ装置側中央制御部１１は、スキャナ装置１０の各部の動作を制御する。
【００３３】
また、スキャンセンサ１２は、例えば、ＣＣＤ：Charge Coupled Device、ＣＩＳ：Contact Image Sensorなどのデバイスであり、原稿となる紙面などをスキャンすることによって、例えば、図２（ａ）に示すようなスキャン画像データＳを読み取る。
【００３４】
データ記憶部１３は、スキャン画像データＳや識別画像データＤ、さらには、これらを画像処理して得られた合成画像データＣ等を記憶する。
【００３５】
識別画像データ生成部１４は、スキャン画像データＳを識別するための識別画像データＤを生成するものである。例えば、図２（ｂ）に示すように、予め設定されたスキャナ装置１０の固有の番号（シリアルナンバー）と、図示しないタイマー等により取得された日付及び時間などを組み合わせて生成する。さらに、この識別画像データＤをデータ記憶部１３に送信する。
【００３６】
空き領域判別部１５は、スキャンセンサ１２より取得されたスキャン画像データＳを含む画像表示領域Ａ（例えば、表示部２４に表示可能な表示画像サイズの領域）内で、図２（ａ）に示すような氏名Ｓ１，金額Ｓ２，単票識別番号Ｓ３などを含むスキャン画像データＳが存在しない空白の領域である空き領域Ｗを判別する。この空き領域Ｗは、識別画像データＤを書き込み可能な大きさを有した領域である。この空き領域Ｗの判別は、例えばスキャン画像データＳ（Ｓ１，Ｓ２，Ｓ３）が存在する領域を識別して、このスキャン画像データＳが位置する座標を演算することにより行われる。また、画像表示領域Ａ内のスキャン画像データＳの座標位置が固定されている場合は、予めデータ記憶部１３にその座標位置情報を記憶させておいてもよい。
【００３７】
画像処理部１６は、スキャン画像データＳと識別画像データＤとを合成した合成画像データＣを生成する。なお、この合成画像データ生成機能以外に、画像の拡大、縮小、圧縮、伸長などの画像処理機能を持たせてもよく、これにより、空き領域Ｗの大きさによって、識別画像データＤのサイズを変えることも可能となる。
【００３８】
印字部１７は、例えば、小切手等をスキャナ装置１０で取得した場合に、その受取証を印刷出力する。スキャナ装置側データ通信部１８は、合成画像データＣをホスト端末２０に送信する。
【００３９】
また、ホスト端末２０に設けられたホスト端末側中央制御部２１は、ホスト端末２０の各部の動作を制御する。ホスト端末側データ通信部２２は、スキャナ装置１０から送信された合成画像データＣを受信する。
【００４０】
スキャナ装置側データ通信部１８及びホスト端末側データ通信部２２は、それぞれ送受信可能な構成としてもよく、これにより、ホスト端末側データ通信部２２から送信したデータをスキャナ装置側データ通信部１８が受信することもできる。例えば、ホスト端末２０から、データ保存部２３に保存された合成画像データＣやレシート等のデータを送信し、スキャナ装置１０に備えられた印字部１７で印刷出力してもよい。
【００４１】
データ保存部２３は、合成画像データＣを保存することができる。また、表示部２４は、例えばＣＲＴや液晶モニタ、あるいはこれらを使用したタッチパネルなどであり、合成画像データＣを表示することができる。また、ネットワーク通信部２５は、インターネット等のネットワーク３１に接続されており、合成画像データＣをネットワークサーバ３２等に送信することができる。
【００４２】
なお、スキャナ装置１０とホスト端末２０とは、別々の筐体に収められ、通信線で接続されていても、あるいは、同一の筐体内に設けられていてもよい。
【００４３】
このようにして、表示部２４に表示された画面や印字部１７で印刷された紙面を目視することにより、所定のスキャン画像データＳがいつどこで取得されたかを容易に確認することができる。
【００４４】
次に、本実施の形態に係る画像データ処理方法について、図３に示すフローチャートに沿って、図１及び図２を参照して説明する。
【００４５】
まず、スキャナ装置側中央制御部１１は、スキャンセンサ１２にスキャン画像データＳを読み取るように命令を送信する。これにより、スキャンセンサ１２により、例えば、図２（ａ）に示すような小切手などのスキャン画像データＳが取得される（ステップＳ１）。そして、このステップＳ１で取得されたスキャン画像データＳは、データ記憶部１３に一時的に記憶される（ステップＳ２）。
【００４６】
一方、上記のスキャン画像データＳの取得が終了すると、スキャナ装置側中央制御部１１は、空き領域判別部１５に、図２（ａ）に示すような画像表示領域Ａ内の空き領域Ｗを探すように命令を送る。空き領域判別部１５は、この命令を受けると、データ記憶部１３に記憶されたスキャン画像データＳの空き領域Ｗの位置及びサイズ情報を、例えば座標データの演算によって判別し、これをスキャナ装置側中央制御部１１へ送信する（ステップＳ３）。なお、画像表示領域Ａ内のスキャン画像データＳの位置及びサイズが固定されている場合は、予めデータ記憶部１３に記憶されている空き領域Ｗの位置及びサイズ情報をスキャナ装置側中央制御部１１へ送信する。
【００４７】
上記ステップＳ３で送信された空き領域Ｗの位置及びサイズ情報を受信すると、スキャナ装置側中央制御部１１は、識別画像データ生成部１４に対して識別画像データＤの生成を命令する。この命令を受けて、識別画像データ生成部１４は、空き領域判別部１５で得られた空き領域Ｗの位置及びサイズ情報を元に、図２（ｂ）に示すように空き領域Ｗの位置に、例えば、図２（ｂ）に示すようにスキャナ装置１０の固有の番号（シリアルナンバー）や日付及び時間等を書き込んだ識別画像データＤを生成して（ステップＳ４）、この識別画像データＤをデータ記憶部１３に一時的に記憶する（ステップＳ５）。
【００４８】
次に、スキャナ装置側中央制御部１１は、データ記憶部１３に一時的に記憶されているスキャン画像データＳと識別画像データＤとを画像処理部１６に送信する。画像処理部１６では、送信されたスキャン画像データＳと識別画像データＤとを合成して合成画像データＣを生成する（ステップＳ６）。さらに、この合成画像データＣはデータ記憶部１３に送信され一時的に記憶される（ステップＳ７）。
【００４９】
次に、データ記憶部１３に記憶された合成画像データＣは、スキャナ装置側データ通信部１８を通じてホスト端末２０へ送信される（ステップＳ８）。なお、合成画像データＣは、印字部１７により印字出力することも可能である。
【００５０】
そして、ホスト端末２０に送信された合成画像データＣは、ホスト端末側データ通信部２２を通して、ホスト端末２０内のデータ保存部２３に保存される。また、ホスト端末２０の表示部２４にこの合成画像データＣが表示される。さらに、ネットワーク通信部２５を通して、インターネット等のネットワーク３１に接続され、ネットワークサーバ３２等に合成画像データを送信する。
【００５１】
以上のように、スキャンセンサ１２に取得されたスキャン画像データＳと、その取得されたスキャン画像データＳを識別するための識別画像データＤとを合成した合成画像データＣを生成し、この合成画像データＣを保存することができる。そして、この保存された合成画像データＣには、識別画像データＤが書き込まれているので、この識別画像データＤを目視するだけで、容易にスキャン画像データＳの確認を行うことができ、ＰＯＳシステム１における小切手等の画像を取得したデータの運用、確認、証明などを容易に行うことができる
このように、識別画像データに、例えば、日付及び／又は時間の情報が含まれることにより、スキャン画像データがいつ取得されたかを簡単に確認することができる。
【００５２】
また、識別画像データに、例えば、装置固有の番号（シリアルナンバー）等情報が含まれることにより、スキャン画像データがどのスキャナ装置で取得されたかを簡単に確認することができる。
【００５３】
さらに、識別画像データに、スキャナ装置を使用している店舗の固有の情報（例えばロゴ等）が含まれることにより、スキャン画像データがどの店舗で取得されたデータかを特定できる。
【００５４】
なお、本発明に係るスキャナ装置、スキャン画像データ処理方法及びＰＯＳシステムは、前述した実施の形態に限定されるものでなく、適宜な変形、改良等が可能である。例えば、ビデオレンタル店等における会員登録時に提示する運転免許証などの身分証明証を、スキャナ装置で読み取るような場合にも適用することができる。
【産業上の利用可能性】
【００５５】
以上説明してきたように、本発明に係るスキャナ装置、画像データ処理方法及びＰＯＳシステムは、小売店等において使用される小切手等の読み取りを行うスキャナ装置を備えたＰＯＳシステムなどに対して有効に利用可能である。また、ビデオレンタル店等における会員登録時に提示する運転免許証などの身分証明証を、スキャナ装置で読み取り、スキャン画像データを管理するシステムなどにも適用可能である。
【図面の簡単な説明】
【００５６】
【図１】本発明に係る実施の形態のスキャナ装置を示す概略ブロック図である。
【図２】本発明に係る実施の形態のスキャナ装置で読み込まれたスキャン画像データと識別画像データとそれらを合成した合成画像データの一例を示す説明図である。
【図３】本発明に係る実施の形態のスキャン画像データ処理方法の実施手順を示すフローチャートである。
【符号の説明】
【００５７】
１・・・ＰＯＳシステム、１０・・・スキャナ装置、１０・・・印字部、１１・・・スキャナ装置側中央制御部、１２・・・スキャンセンサ、１３・・・データ記憶部、１４・・・識別画像データ生成部、１５・・・空き領域判別部、１６・・・画像処理部、１７・・・印字部、１８・・・スキャナ装置側データ通信部、２０・・・ホスト端末、２１・・・ホスト端末側中央制御部、２２・・・ホスト端末側データ通信部、２３・・・データ保存部、２４・・・表示部、２５・・・ネットワーク通信部、３１・・・ネットワーク、３２・・・ネットワークサーバ、Ａ・・・画像表示領域、Ｃ・・・合成画像データ、Ｄ・・・識別画像データ、Ｓ・・・スキャン画像データ、Ｗ・・・空き領域
【図１】
2005064809.tif 000003
【図２】
2005064809.tif 000004
【図３】
2005064809.tif 000005